(57)【特許請求の範囲】
【請求項１】
情報再生装置と表示装置との間で情報通信する情報無線伝送システムであって、
前記情報再生装置により再生され、無線伝送された情報にエラーが発生した場合、そのエラー継続時間を計時する計時手段と、
前記計時手段による計時時間を前記表示装置の画面上に表示する表示手段と、
前記計時手段による計時時間が予め設定された所定のエラーリミット時間を超えた場合、前記情報再生装置による情報再生動作を制御する制御手段とを備え、
前記所定のエラーリミット時間は、ユーザーにより任意に可変設定されることを特徴とする情報無線伝送システム。
【請求項２】
情報再生装置より再生された情報を無線送信する送信装置と、該送信装置より無線送信された情報を受信して表示装置に表示出力する受信装置とを備えた情報無線伝送システムであって、
前記受信装置に、前記送信装置より無線伝送された情報にエラーが発生した場合、そのエラー継続時間を計時する計時手段と、
前記計時手段による計時時間を前記表示装置の画面上に表示する表示手段と、
前記計時手段による計時時間が予め設定された所定のエラーリミット時間を超えた場合、前記情報再生装置による情報再生動作を制御する制御手段とを備え、
前記所定のエラーリミット時間は、ユーザーにより任意に可変設定されることを特徴とする情報無線伝送システム。
【請求項３】
前記制御手段は、前記計時手段による計時時間が予め設定された所定のエラーリミット時間を超えた場合、エラー開始位置に戻り再生するように、前記情報再生装置による情報再生動作を制御することを特徴とする前記請求項１又は２に記載の情報無線伝送システム。
【請求項４】
前記制御手段は、前記計時手段による計時時間が予め設定された所定のエラーリミット時間を超えた場合、前記情報再生装置による情報再生動作を停止するように制御することを特徴とする前記請求項１又は２に記載の情報無線伝送システム。
【請求項５】
情報再生装置で再生され、無線送信された情報を受信して表示装置に表示出力する受信装置であって、
前記無線伝送された情報にエラーが発生した場合、そのエラー継続時間を計時する計時手段と、
前記計時手段による計時時間を前記表示装置の画面上に表示する表示手段と、
前記計時手段による計時時間が予め設定された所定のエラーリミット時間を超えた場合、前記情報再生装置による情報再生動作を制御する制御手段とを備え、
前記所定のエラーリミット時間は、ユーザーにより任意に可変設定されることを特徴とする受信装置。
【発明の詳細な説明】
【０００１】
【発明の属する技術分野】
本発明は、画像や音声などの情報を無線で伝送する情報無線伝送システムにかかわる技術に関し、特に、スペクトル拡散通信方式（以下、ＳＳ通信方式と称す）によるデータ伝送を行う場合などに適用して好適な情報無線伝送システムにかかわる技術に関する。
【０００２】
【従釆の技術】
ＳＳ通信方式は、公知のように、従来の単信号変調方式で通信を行うものとは異なり、無線の伝送搬送波を一定の帯域内に拡散して行う方式であり、デジタル伝送であるため、受信キャリアーの再生時のエラーレートを再送信して相手方に伝え、この場合のエラーレートはキャリアー全体のエラーレートのため、音声データ、画像データがどのように相手に伝えられているか、相関を持って制御する必要がある。
【０００３】
このＳＳ通信方式は干渉に強い方式であり、近来注目されている通信方式であるが、どのような通信方式に基づくデータ伝送装置であっても、例えば、無線機においては電波の到達する限界以前が使用限界であることは周知の事実であり、この限界条件下でどのように使用者に限界が来たことを知らせ、同時にシステムとしてこの限界条件下でどのように性能を維持するかが、商品としてのレベル評価につながってくる。特に、デジタル無線機では、アナログ無線機と比較して通信電界限界値のエラーレートが急激に低下し、このような場合には使用不能になることが明らかであり、ＳＳ通信方式もデジタル伝送であるため、かような問題点を包含している。
【０００４】
そこで、エラーレートが悪化した場合であっても、画像が乱れたり、データが送れずに受信側での受信画像が途切れるのを防ぎ、システムの品質を確保する技術が各種提案されている。
【０００５】
特開平１１−２６８２２９公報には、画像と音声を伝送するＳＳ通信方式の伝送装置において、伝送経路における音声の伝送状態をリアルタイムに測定する測定手段と、測定手段により測定された音声の伝送状態が悪化したとき、その悪化する状況に合わせて画像の伝送状態を制御する制御手段とを備えることで、必要な受信電界が得られる地域から使用限界近傍に至る間の伝送経路におけるエラーレートが変動しても、その変動に応じた画像で画像伝送ができ、使用限界近傍の限界値においても安定して使用することが可能な技術が、開示されている。
【０００６】
ところで、ＳＳ通信方式は、再送方式の伝送方式であり、送信データが確実に相手先に到達することを確認するために、送信データが受信側に確実に到達したか否かを受信側に確認し、受信側では受信データが正確に到達したか否かを送信側に通知するようになっている。そして、データに誤りが生じた場合、受信側は、誤りが生じたデータ領域を、送信側に再度送信要求することで、確実なデータ転送を実現するようにしている。
【０００７】
ところが、上記特開平１１−２６８２２９公報に示された再送方式の伝送方式では、データエラーが生じたときのオーバーヘッドが増加して、データ転送効率が上がず、時間的遅延の許されない情報データにおいては、大きな問題となる。
【０００８】
これに対し、特開平１１−３０８２９７号公報には、データ伝送効率を向上し、かつ時間遅延の少ない情報データを、より大量に、かつより確実に伝送する技術が提案されている。
【０００９】
特開平１１−３０８２９７号公報に開示された技術においては、カメラ部が、撮影して得た画像データを、スペクトル拡散送受信機によりアンテナから送信し、モニタ部は、スペクトル拡散送受信機で画像データを受信して処理すると共に、受信したデータの誤り量を計測し、計測した値に基づいて次回送信すべきデータ量を求め、これを制御情報としてカメラ部に送るようにしている。そして、カメラ部は、制御情報により次の送信データ量を設定し、そのデータ量の画像データを送信することで、カメラからモニタに無線伝送により画像データを送信する際の、伝送効率の向上を図っている。
【００１０】
【発明が解決しようとする課題】
上述した従来技術のように、大規模な回路構成や複雑なソフト構成による、高品位情報の無線伝送を行なう提案が種々なされているが、近年のホームネットワーク化における画像無線伝送装置としては、小型軽量でより簡易的な装置が普及して行くものと思われ、バッテリー駆動の装置や小容量メモリの装置に対しても伝送画像品位の確保や、ユーザーフレンドリーな操作性の確保が必要となる。
【００１１】
本発明は上記の点に鑑みなされたものであり、簡単な仕組みで、ＳＳ通信方式などを用いた情報無線伝送システムにおいて、受信側にてエラーが発生した場合に、そのエラー継続時間を表示装置に表示するとともに、ユーザーにより任意に設定されたエラーリミット時間と比較をし、エラーリミット時間を超えた際に送信側の情報再生装置の情報再生動作を制御することにある。
【００１２】
【課題を解決するための手段】
本発明は、ＳＳ通信方式などのデジタル無線伝送を使用したときにおいて、データ量に限界があるために訂正しきれない場合が多く、エラーリミット時間を超えた場合の対応に関する提案であり、上記した目的を達成するため本願による情報無線伝送システムは、情報再生装置と表示装置との間で情報通信する情報無線伝送システムであって、前記情報再生装置により再生され、無線伝送された情報にエラーが発生した場合、そのエラー継続時間を計時する計時手段と、前記計時手段による計時時間を前記表示装置の画面上に表示する表示手段と、前記計時手段による計時時間が予め設定された所定のエラーリミット時間を超えた場合、前記情報再生装置による情報再生動作を制御する制御手段とを備え、前記所定のエラーリミット時間は、ユーザーにより任意に可変設定されることを特徴とする。
また、本願による情報無線伝送システムは、情報再生装置より再生された情報を無線送信する送信装置と、該送信装置より無線送信された情報を受信して表示装置に表示出力する受信装置とを備えた情報無線伝送システムであって、前記受信装置に、前記送信装置より無線伝送された情報にエラーが発生した場合、そのエラー継続時間を計時する計時手段と、前記計時手段による計時時間を前記表示装置の画面上に表示する表示手段と、前記計時手段による計時時間が予め設定された所定のエラーリミット時間を超えた場合、前記情報再生装置による情報再生動作を制御する制御手段とを備え、前記所定のエラーリミット時間は、ユーザーにより任意に可変設定されることを特徴とする。
また、本願による情報無線伝送システムは、前記計時手段による計時時間が予め設定された所定のエラーリミット時間を超えた場合、エラー開始位置に戻り再生するように、前記情報再生装置による情報再生動作を制御することを特徴とする。
また、本願による情報無線伝送システムは、前記計時手段による計時時間が予め設定された所定のエラーリミット時間を超えた場合、前記情報再生装置による情報再生動作を停止するように制御することを特徴とする。
また、本願による受信装置は、情報再生装置で再生され、無線送信された情報を受信して表示装置に表示出力する受信装置であって、前記無線伝送された情報にエラーが発生した場合、そのエラー継続時間を計時する計時手段と、前記計時手段による計時時間を前記表示装置の画面上に表示する表示手段と、前記計時手段による計時時間が予め設定された所定のエラーリミット時間を超えた場合、前記情報再生装置による情報再生動作を制御する制御手段とを備え、前記所定のエラーリミット時間は、ユーザーにより任意に可変設定されることを特徴とする。
【００１３】
かような構成をとることにより、簡単な仕組みで、ＳＳ通信方式などを用いた情報無線伝送システムにおいて、受信側にてエラーが発生した場合に、ユーザーはエラー継続時間を確認しながら、エラーリミット時間を適宜可変設定することができるので、状況に応じたユーザーの判断で情報再生装置の情報再生動作を適切に制御することが可能になる。
【００１４】
なお、上記以外の本発明の特徴的な構成やその作用効果は、以下の説明から明らかとなる。
【００１５】
【発明の実施の形態】
以下、本発明の実施の形態を、図面を用いて説明する。
【００１６】
図１は、本発明の一実施形態に係る情報無線伝送システムの構成を示す図である。本実施形態は、ＤＶＤ再生装置からの再生信号をＳＳ通信方式による無線伝送によって伝送し、液晶モニタにて視聴する場合への適用例である。
【００１７】
図１において、１はＤＶＤ再生装置、２はスペクトル拡散無線送信機（以下、送信機２と称す）、３は液晶モニタ、４はスペクトル拡散無線受信機（以下、受信機４と称す）、５はＤＶＤ再生装置用リモコン（以下、ＤＶＤリモコン５と称す）、６ＡはＤＶＤ再生装置１のリモコン受光部、６Ｂは受信機４のリモコン受光部、７は送信機２のリモコン発光部、８ＡはＤＶＤ再生装置１と送信機２を接続するＡＶケーブル、８Ｂは液晶モニタ３と受信機４を接続するＡＶケーブル、９Ａは送信機２の無線アンテナ、９Ｂは受信機４の無線用アンテナ、１０は受信機４の画像エラー設定ボタンである。
【００１８】
なお、ＤＶＤ再生装置１のリモコン受光部６Ａは、ＤＶＤリモコン５またはリモコン発光部７からのリモコンコードを受信可能となっており、受信機４のリモコン受光部６Ｂは、ＤＶＤリモコン５からのリモコンコードを受信可能となっている。また、画像エラー設定ボタン１０は、プッシュ／プッシュで機能のＯＮ／ＯＦＦを行い、回転で時間設定を行うことができるようになっている。
【００１９】
図２は、送信機２および受信機４の内部構成を示すブロック図である。図２において、２１は送信機２全体の制御を司るＣＰＵ、２２は通信コントロール部、２３はデータ変換部、２４はスクランブル部、２５はリモコン制御部、２６はリモコンコード発信部、２７は映像・音声信号の入力部（情報入力部）である。ここで、データ変換部２３、スクランブル部２４、リモコン制御部２５の機能は、ＣＰＵ２１によって具現化されるようになっているが、これらはＣＰＵ２１と独立して設けてもよい。なお、データ変換部２３は、ＤＶＤ再生装置１から出力された信号を、入力部２７を介して受け取り、これを適宜に変換処理すると共に、誤り訂正符号を付加する機能を持っている（つまり、データ変換部２３は、入力信号処理部と誤り訂正データ付加手段として機能するようになっている）。
【００２０】
また、４１は受信機４全体の制御を司るＣＰＵ、４２は通信コントロール部、４３はデータ変換部、４４はデスクランブル部、４５は画像エラー処理部、４６はリモコン受信部、４７は映像・音声データの出力部（情報出力部）である。ここで、データ変換部４３、デスクランブル部４４、画像エラー処理部４５の機能は、ＣＰＵ４１によって具現化されるようになっているが、これらはＣＰＵ４１と独立して設けてもよい。なお、データ変換部４３は、入力されたデータに誤りがある場合には誤り訂正を行うと共に、データを適宜に変換処理して、映像・音声信号を出力部４７から液晶モニタ３に出力する機能を持っている（つまり、データ変換部４６は、誤り訂正手段と受信信号処理部として機能するようになっている）。
【００２１】
また、３０は送信機２側からの同期信号、３１は受信機４側からの非同期信号である。
【００２２】
図３は、受信機４の画像エラー処理部４５の内部構成を示すブロック図であり、同図において、４５ａはＤＶＤ制御のための制御信号格納部、４５ｂは計時手段、４５ｃは誤り検出部、４５ｄはテキスト生成部、４５ｅは時間設定部、４５ｆは時間比較部である。なお、制御信号格納部４５ａには、「再生」、「停止」、「カウント戻り」などの、ＤＶＤ再生装置１を制御するための制御信号が格納されている。
【００２３】
次に、本実施形態の動作を説明する。なお、ここでは、２階に置かれ受信装置４に接続された液晶モニタ３によって、１階に置かれ送信機２に接続されたＤＶＤ再生装置１からの再生画像を、視聴する場合を想定して、以下に動作を説明する。
【００２４】
先ず、ＤＶＤリモコン５を受信機４のリモコン受光部６Ｂに向け、ＤＶＤリモコン５の再生ボタンを押して、リモコン受光部６Ｂに対して赤外線によるリモコンコード信号を送信する。リモコン受光部６Ｂからの信号は、リモコン受信部４６にてリモコンデータとして復調され、リモコンデータはＣＰＵ４１に送られる。ＣＰＵ４１が受け取ったリモコンデータは、通信コントロール部４２に受け渡され、変調されて、アンテナ９Ｂから送信機２に送信される。
【００２５】
この送信信号は、送信機２のアンテナ９Ａで受信され、リモコンデータは通信コントロール部２２によって復調された後、ＣＰＵ２１に転送される。ＣＰＵ２１は受け取ったリモコンデータを、リモコンコード発信部２６に出力し、リモコンコード発信部２６で制御されるリモコン発光部７から、再生を示す赤外線によるリモコンコード信号が、ＤＶＤ再生装置１のリモコン受光部６Ａへ向けて送信される。
【００２６】
これにより、ＤＶＤ再生装置１は、リモコン受光部６Ａで受信した再生指示信号に基づき、再生動作を開始する。ＤＶＤ再生装置１から出力される再生ＡＶデータは、ＡＶケーブル８Ａを経由して、送信機２のデータ変換部２３に入力され、適宜に変換処理されると共に、誤り訂正用データが付加される。このデータ変換部２３の出力データは、スクランブル部２４によって暗号化され、通信コントロール部２２へと送られる。そして、送信機２側のアンテナ９Ａから受信機４側のアンテナ９Ｂへ送られることで、受信機４側にデータが伝送される。
【００２７】
受信機４側に伝送されたデータは、通信コントロール部４２を介してデスクランブル部４４に入力され、ここで暗号化が解かれ、次に、データ変換部４３において、データに誤りがある場合は誤り訂正を行うと共に、適宜に変換処理された後、ＡＶデータとしてＡＶケーブル８Ｂを介して液晶モニタ３に入力される。これにより、液晶モニタ３において映像と音声が出力される。
【００２８】
このような構成と制御手法をとることによって、２階に居ながらにして、１階に設置してあるＤＶＤ再生装置１からの再生映像や再生音声を、視聴することが可能となる。
【００２９】
ところで、通常、送信されてくる同期信号を利用して液晶モニタ３で映像・音声の視聴を行う場合、例えば、他の無線通信機器や電子レンジなどの２．４ＧＨｚ帯機器との干渉や、受信システムの持ち運び等によって、受信機４の誤り訂正能力をオーバーした誤りデータが入力されると、誤りデータによって同期信号が送信データの再現を行えなくなり、ブロックノイズになって画像が乱れたり、画像が静止してしまうため動画像として見られなくなってしまう場合がある。
【００３０】
このような場合に対応する、本実施形態の画像エラー時の動作について説明する。図４は、画像エラー処理の流れの１例を示すフローチャートである。
【００３１】
受信機４の制御信号格納部４５ａには、事前にＤＶＤ再生装置１の「再生」、「停止」、「ジャンプ」、「カウント戻り」などの制御信号が登録されている。
【００３２】
先ず、ステップＳＴ１において、受信機４のエラー設定ボタン１０を押すことで、ＣＰＵ４１は、テキスト生成部４５ｄから、「絵跳びタイマー設定」と「‥秒間」のテキストを抽出し、これを液晶モニタ３の画面上にＯＳＤ（On Screen Display）表示させる。次に、ステップＳＴ２において、エラー設定ボタン１０を回転させ、例えば「１０秒間」と設定した後、エラー設定ボタン１０を再度押すことで、ＯＳＤ表示が消え、時間設定部４５ｅには１０秒が設定され、これにより、エラーリミット時間１０秒間が設定されることになる。
【００３３】
次に、ステップＳＴ３において、前記した手順によってＤＶＤ再生が行なわれ、ステップＳＴ４にて、誤り検出部４５ｃが誤り訂正可能範囲であるかどうかをチェックする。このとき、誤り訂正可能範囲内であれば、ステップＳＴ８としてＤＶＤ再生を継続する。
【００３４】
誤り検出部４５ｃが誤り訂正不可能と判断すると、ステップＳＴ５に進んで、計時手段４５ｂが計時を開始をすると共に、テキスト生成部４５ｄはこの計時時間を液晶モニタ３の画面上にＯＳＤ表示させる。ステップＳＴ５に続くステップＳＴ６では、時間比較部４５ｆが、計時手段４５ｂの出力と時間設定部４５ｅのエラーリミット時間とを比較し、エラーリミット時間内にエラー可能範囲に復帰した場合には、ステップＳＴ８としてＤＶＤ再生を継続させる。
【００３５】
一方、時間比較部４５ｆが、エラー継続時間がエラーリミット時間を超えたと判定した場合には、ステップＳＴ７に進む。ステップＳＴ７では、ＣＰＵ４１は、テキスト生成部４５ｄから映像エラーである旨を表す文字やキャラクタを抽出して、これを液晶モニタ３の画面上にＯＳＤ表示させ、また、制御信号格納部４５ａからはＤＶＤ制御信号として「エラー開始位置へ戻り再生する」という制御信号を抽出し、この制御信号とエラー継続時間情報を通信コントロール部４２で変調して、アンテナ９Ｂから送信機２へ送信する。送信機２では、リモコン制御部２５が、アンテナ９Ａで受信し、通信コントロール部２２で復調されたＤＶＤ制御信号とエラー継続時間情報とを、リモコンコード発信部２６に出力する。これを受けてリモコンコード発信部２６は、変調して生成したリモコンコード信号（「エラー開始位置へ戻り再生する」というコード信号とエラー継続時間情報を表すコード信号）を、リモコン発光部７から、ＤＶＤ再生装置１のリモコン受光部６Ａに送信する。ＤＶＤ再生装置１は、「エラー開始位置へ戻り再生する」という制御信号を受け、エラー継続時間情報に基づき、例えば１秒前の位置に戻るというカウント戻り機能によって、エラー継続時間分戻ることでエラー開始位置に戻り、これにより、ステップＳＴ３の状態に戻ってＤＶＤ再生を再開し、以降同様の送受信動作が行われることになる。
【００３６】
なお、上述した例では、エラーが発生したときに（誤り訂正限度を超えた場合に）、「エラー開始位置へ戻り再生する」という制御を行うようにしたが、「再生停止」などという制御を行うようにしてもよい。
【００３７】
なおまた、誤り訂正限度を超えた場合に、ＤＶＤ再生装置を制御するか否かをユーザーが選択できるようにてもよい。
【００３８】
また、将来的には、送信機２（送信ユニット）や受信機４（受信ユニット）が、記録再生装置や表示装置などに内蔵されることが予想される。本発明はこのような場合にも適用可能であって、上述してきた実施形態のように、送信機２（送信ユニット）や受信機４（受信ユニット）が分離された構成に限定されるものではない。
【００３９】
【発明の効果】
本願によれば、情報再生装置により再生され、無線伝送された情報にエラーが発生した場合、そのエラー継続時間を表示装置の画面上に表示するとともに、そのエラー継続時間と比較するエラーリミット時間をユーザーにより任意に可変設定することが可能な構成としているので、ユーザーが状況把握を容易に行うことが可能となり、その時点での視聴状況に応じて、ユーザーの判断で情報再生装置の情報再生動作を適切に制御することができる。
【図面の簡単な説明】
【図１】本発明の一実施形態に係る情報無線伝送システムの構成を示す図である。
【図２】図１中の送信機および受信機の内部構成を示すブロック図である。
【図３】図２中の画像エラー処理部の内部構成を示すブロックである。
【図４】本発明の一実施形態における、画像エラー処理の流れの１例を示すフローチャートである。
【符号の説明】
１  ＤＶＤ再生装置
２  スペクトル拡散無線送信機（送信機）
３  液晶モニタ
４  スペクトル拡散無線受信機（受信機）
５  ＤＶＤ再生装置用リモコン（ＤＶＤリモコン５）
６Ａ、６Ｂ  リモコン受光部
７  リモコン発光部、
８Ａ、８Ｂ  ＡＶケーブル
９Ａ、９Ｂ  無線用アンテナ
１０  画像エラー設定ボタン
２１  ＣＰＵ
２２  通信コントロール部
２３  データ変換部
２４  スクランブル部
２５  リモコン制御部
２６  リモコンコード発信部
２７  映像・音声信号の入力部（情報入力部）
３０  送信機側からの同期信号
３１  受信機側からの非同期信号
４１  ＣＰＵ
４２  通信コントロール部
４３  データ変換部
４４  デスクランブル部
４５  画像エラー処理部
４５ａ  制御信号格納部
４５ｂ  計時手段
４５ｃ  誤り検出部
４５ｄ  テキスト生成部
４５ｅ  時間設定部
４５ｆ  時間比較部
４６  リモコン受信部
４７  映像・音声信号の出力部（情報出力部）
【図１】
0003797897.tif 000002
【図２】
0003797897.tif 000003
【図３】
0003797897.tif 000004
【図４】
0003797897.tif 000005